(57)【特許請求の範囲】
【請求項１】
洋風便器の上面に便座ボックスを設置し、取付部材によって固定した便座ボックス取付構造において、
該便座ボックスの底面から突出して洋風便器上面に押し付けられる固定補助部材が設けられており、
該固定補助部材は便座ボックスに螺合した螺子部材を備えており、該螺子部材が回転されて螺進することにより該固定補助部材が便座ボックス底面から突出する便座ボックス取付構造であって、
前記固定補助部材及び便座ボックス底面にそれぞれ水平面に対して傾斜した斜面が設けられると共に該斜面同士が摺動可能に係合しており、
前記螺子部材は略水平方向に配置され、該螺子部材の螺進により、
該固定補助部材が該斜面に沿って移動して固定補助部材が便座ボックス底面から突出することを特徴とする便座ボックス取付構造。
【請求項２】
請求項１において、前記螺子部材の操作部が便座ボックスの側面又は後面に設けられていることを特徴とする便座ボックス取付構造。
【発明の詳細な説明】
【０００１】
【発明の属する技術分野】
本発明は、洋風便器の上面に便座ボックスを取り付けた構造に係り、特に便座ボックスのガタツキを防止するよう改良された便座ボックス取付構造に関する。
【０００２】
【従来の技術】
洋風便器に温水洗浄装置を設置する場合に、便鉢の後部上面に便座ボックスを設置することが多い。この便座ボックス内に温水を噴出するためのノズル及び温水供給機構が組み込まれると共に、さらに温風乾燥機構、脱臭機構などが組み込まれることもある。この便座ボックスに便座や、通常は更に便蓋が上下方向回動自在に取り付けられる。この便座ボックスの洋風便器への従来の取付構造について図６，７，８を参照して説明する。なお、図６は便座ボックスの底面斜視図、図７は図６のVII−VII線に沿う断面図、図８は全体斜視図である。
【０００３】
便座ボックス１の底部プレート２に洋風便器４の前後方向に延在するスリット３が２条平行に設けられている。このスリット３にボルト５の頭部が差し込まれる。なお、スリット３は、後端側に拡幅部３ａを備えており、ボルト５の頭部５ａが該拡幅部３ａを通って底部プレート２の上側に挿入され、ボルト５の螺子棒部５ｂが該スリット３を通って下方に延出される。
【０００４】
洋風便器４の便鉢４ａの後方部には、このボルト５の螺子棒部５ｂを通すためのボルト挿通孔４ｂが２個設けられている。平パッキン６を介してボルト５を該ボルト挿通孔４ｂに通し、半球パッキン８及びスリップワッシャ９を介してナット１０を該ボルト５に装着する。便座ボックス１に装着された便座１１の前端が洋風便器４の前端から５〜２０ｍｍ程度突出するように便座ボックス１の前後位置を調整してから該ナット１０を締め込み、便座ボックス１を洋風便器４に固定する。
【０００５】
この便座ボックス１には、便蓋１２も上下方向回動自在に取り付けられている。この便座ボックス１の内部に温水噴射ノズル等の機構が設置されている。
【０００６】
【発明が解決しようとする課題】
洋風便器は陶器製であるため、その上面には若干の歪がある。そのため、ナット１０を十分に締め込んでも便座ボックス１にガタツキが生じることがある。
【０００７】
本発明はこのような便座ボックスのガタツキを防止した便座ボックス取付構造を提供することを目的とする。
【０００８】
【課題を解決するための手段】
本発明（請求項１）の便座ボックス取付構造は、洋風便器の上面に便座ボックスを設置し、取付部材によって固定した便座ボックス取付構造において、該便座ボックスの底面から突出して洋風便器上面に押し付けられる固定補助部材が設けられており、該固定補助部材は便座ボックスに螺合した螺子部材を備えており、該螺子部材が回転されて螺進することにより該固定補助部材が便座ボックス底面から突出する便座ボックス取付構造であって、前記固定補助部材及び便座ボックス底面にそれぞれ水平面に対して傾斜した斜面が設けられると共に該斜面同士が摺動可能に係合しており、前記螺子部材は略水平方向に配置され、該螺子部材の螺進により、該固定補助部材が該斜面に沿って移動して固定補助部材が便座ボックス底面から突出することを特徴とするものである。
【０００９】
かかる便座ボックス取付構造によると、固定補助部材を便座ボックス底面から突出させて洋風便器上面に押し付けることにより、便座ボックスのガタツキを防止することができる。
【００１０】
この場合、螺子部材の操作部を便座ボックスの側面又は後面に配置できるので、操作部が目立たず、便座ボックスの美観が良くなる（請求項２）。また、便座ボックス内部の機器の配置自由度も高くなる。
【００１１】
【発明の実施の形態】
以下、図面を参照して実施の形態について説明する。図１は参考例に係る便座ボックス取付構造により便座ボックスを取り付けた洋風便器の斜視図、図２は図１のII−II線に沿う断面図である。
【００１２】
洋風便器４の後部上面に便座ボックス２１が設置されており、この便座ボックス２１は図示はしないが前記図６〜８と同じボルト５、半球パッキン８、ワッシャ９及びナット１０によって洋風便器４に固定されている。このボルト５は洋風便器４の便座取付孔４ｂに挿通されている。
【００１３】
この参考例では、便座ボックス２１のガタツキを防止するための固定補助部材としてボルト２５を用いている。
【００１４】
便座ボックス２１の底部プレート２２には上方に立ち上がる立上部２３が設けられ、この立上部２３の天井面部分に雌螺子孔２４が設けられている。この雌螺子孔２４にボルト２５が螺合している。ボルト２５の上端には、ドライバー等の工具の先端が係合する溝２５ａが設けられている。
【００１５】
このボルト２５の鉛直上方の便座ボックス２１の上面には、ドライバー等の工具の挿通用開口２６が設けられており、着脱可能なキャップ２７が該開口２６に装着されている。
【００１６】
このキャップ２７を外し、工具を開口２６から差し込んでボルト２５を回すことにより、ボルト２５の下端が洋風便器４の上面に押し付けられ、これにより便座ボックス２１のガタツキが防止される。ボルト２４の下端面には樹脂又はゴムを貼着してもよく、ボルト２４自体を合成樹脂製としてもよい。
【００１７】
図１，２ではボルト２５及び開口２６はそれぞれ１個のみ設けられているが、２個以上設けられてもよい。なお、便座ボックス２１内には温水洗浄装置、温風乾燥装置、便器脱臭装置等の種々の機器が設置されるが、これらの機器は、開口２６とボルト２５とを結ぶ領域をかわすように配置される。
【００１８】
なお、開口２６を省略し、底部プレート２１を洋風便器４に固定してから便座ボックス２１の本体ケーシングを底部プレートに取り付けるようにしてもよい。
【００１９】
図３は実施の形態を示す断面図であり、図２と同様の断面を示している。
【００２０】
この実施の形態でも、洋風便器４の上面に設置された便座ボックス３１は、図６〜８と同じボルト、半球パッキン、ワッシャ、ナットによって洋風便器４に固定されている。
【００２１】
この便座ボックス３１のガタツキ防止のために、便座ボックス３１の底部プレート３２からは立上部３３が設けられ、この立上部３３の下側に固定補助部材を構成するスライドブロック３４が配置されている。
【００２２】
立上部３３には、水平面に対し傾斜する斜面３３ａが設けられ、スライドブロック３４には該斜面３３ａと重なる斜面が設けられている。立上部３３の該斜面３３ａと対向する立下り面には雌螺子孔３５が設けられ、ボルト３６が該雌螺子孔３５に螺挿されている。便座ボックス３１の側面には素孔よりなる開口３８が設けられ、該開口３８にボルト３６の後端部が臨んでいる。ボルト３６の後端面には工具係合溝３７が設けられている。ボルト３６の先端はスライドブロック３４に当接している。
【００２３】
この実施の形態においては、このボルト３６を回して図３の左方向に螺進させると、スライドブロック３４が斜面３３ａに押し付けられて下方に移動し、洋風便器４の上面に押し付けられ、便座ボックス３１のガタツキが防止される。この実施の形態では、ドライバー等の工具を便座ボックス３１内に深く挿入する必要がなく、便座ボックス３１内における機器の配置自由度が高い。なお、図３では開口３８を便座ボックス３１の側面（サイド面）に配置しているが、便座ボックス３１の後面に配置してもよい。
【００２４】
図３ではボルト３６の後端を開口３８に臨ませているが、図４のようにボルト３６よりも短いボルト３６’を採用し、このボルト３６’を開口３８よりも引込ませ、開口３８にキャップ３９を装着してもよい。図４のその他の構成は図３と同一である。
【００２５】
図５（ａ）は異なる実施の形態を示す便座ボックス４１の左右幅方向（洋風便器の左右幅方向）の断面図、図５（ｂ）は図５（ａ）の要部拡大図である。
【００２６】
この便座ボックス４１の底部プレート４２には、２個の立上部４３Ｌ，４３Ｒが設けられ、各立上部４３Ｌ，４３Ｒの下側にはそれぞれスライドブロック４４Ｌ，４４Ｒが配置されている。
【００２７】
図３，４の立上部３３と同じく、立上部４３Ｌ，４３Ｒには斜面４３ａが設けられている。左右の立上部４３Ｌ，４３Ｒの各斜面４３ａ，４３ａは互いに向き合うように配置されている。各斜面４３ａには長ボルト４５を挿通させるための素孔よりなる開口４３ｂが設けられている。この斜面４３ａと対面する立上部４３Ｌ，４３Ｒの鉛直面にも素孔よりなる開口４３ｃが設けられている。ボルト４５の両端部には該開口４３ｃを通り抜けた位置にストッパ４５ａが固着されている。そのため、ボルト４５はその長手方向には不動となっている。
【００２８】
スライドブロック４４Ｌ，４４Ｒにはボルト４５を遊挿する大径の孔４４ａが設けられている。ボルト４５の右側及び左側には正螺子部４５Ｒと逆螺子部４５Ｌとが設けられており、これらの螺子部４５Ｒ，４５Ｌにナット４６Ｌ，４６Ｒが螺合している。このナット４６Ｌ，４６Ｒは立上部４３Ｌ，４３Ｒの内面に当接し、自転不能となっている。
【００２９】
ボルト４５の一端は便座ボックス４１の側面の開口４８の近傍に位置しており、該開口４８にはキャップ４９が着脱可能に装着されている。
【００３０】
このキャップ４９を外して工具を差し込み、ボルト４５を回すと、ナット４６Ｌ，４６Ｒが互いに接近する方向に移動し、スライドブロック４４Ｌ，４４Ｒが該ナット４６Ｌ，４６Ｒに押されて互いに接近方向に移動する。
【００３１】
このスライドブロック４４Ｌ，４４Ｒが斜面４３ａに案内されて下方に突出し、洋風便器の上面に押し付けられることにより便座ボックス４１のガタツキが防止される。
【００３２】
【発明の効果】
以上の通り、本発明によると、便座ボックスを洋風便器の上面にガタツキを生じさせることなく設置することができる。
【図面の簡単な説明】
【図１】  参考例に係る便座ボックス取付構造を示す斜視図である。
【図２】  図１のII−II線に沿う断面図である。
【図３】  実施の形態を示す断面図である。
【図４】  さらに別の実施の形態を示す断面図である。
【図５】  異なる実施の形態を示す断面図である。
【図６】  従来の便座ボックスを示す斜視図である。
【図７】  図６のVII−VII線に沿う断面図である。
【図８】  従来例の便座ボックス取付構造を示す斜視図である。
【符号の説明】
１  便座ボックス
２  底部プレート
３  スリット
４  洋風便器
５  ボルト
１０  ナット
２１，３１，４１  便座ボックス
２５，３６，４５  ボルト
３４，４４Ｌ，４４Ｒ  スライドブロック
【図１】
0003864756.tif 000002
【図２】
0003864756.tif 000003
【図３】
0003864756.tif 000004
【図４】
0003864756.tif 000005
【図５】
0003864756.tif 000006
【図６】
0003864756.tif 000007
【図７】
0003864756.tif 000008
【図８】
0003864756.tif 000009